(57)【要約】【課題】操作者の認証の際に印刷の意図を検知した場合には、その操作者による印刷指示にしたがって印刷をすることができる画像処理装置を提供する。【解決手段】画像処理装置の認証手段は、操作者を認証し、検知手段は、前記認証手段による認証の際に、前記操作者の印刷の意図を検知し、印刷手段は、前記検知手段によって印刷の意図を検知した場合は、前記操作者による印刷指示にしたがって印刷する。【選択図】図１
2019018528.tif 000002
【特許請求の範囲】
【請求項１】
操作者を認証する認証手段と、
前記認証手段による認証の際に、前記操作者の印刷の意図を検知する検知手段と、
前記検知手段によって印刷の意図を検知した場合は、前記操作者による印刷指示にしたがって印刷する印刷手段
を有する画像処理装置。
【請求項２】
前記認証手段は、前記操作者の顔認証を行い、
前記検知手段は、表示手段に表示された前記操作者の顔の位置にしたがって、該操作者の印刷の意図を検知する、
請求項１に記載の画像処理装置。
【請求項３】
前記検知手段は、前記表示手段の表示領域に設けられた、予め定められた領域に、前記操作者の顔が表示されている場合に、該操作者に印刷の意図があると検知する、
請求項２に記載の画像処理装置。
【請求項４】
前記表示手段は、前記検知手段によって印刷の意図があると検知した場合は、印刷が行われる旨を表示する、
請求項３に記載の画像処理装置。
【請求項５】
前記検知手段は、予め定められた領域以外の領域に、前記操作者の顔が表示されている場合に、該操作者に印刷の意図がないと検知し、
前記印刷手段は、印刷を行わない、
請求項２に記載の画像処理装置。
【請求項６】
前記操作者の認証を行い、認証された場合には、該操作者からの、画像処理を実行するための指示を受け付けることができる、
請求項５に記載の画像処理装置。
【請求項７】
前記表示手段は、前記検知手段によって印刷の意図がないと検知した場合であって、前記操作者の印刷指示がある場合は、該印刷指示による印刷は行われない旨を表示する、
請求項５に記載の画像処理装置。
【請求項８】
前記操作者の存在している位置を検知する第２の検知手段
をさらに有し、
前記検知手段は、前記操作者の存在している位置にしたがって、該操作者の印刷の意図を検知する、
請求項１に記載の画像処理装置。
【請求項９】
前記検知手段は、予め定められた領域に、前記操作者が存在している場合に、該操作者に印刷の意図があると検知する、
請求項８に記載の画像処理装置。
【請求項１０】
前記検知手段は、予め定められた領域に、前記操作者が存在していない場合に、該操作者に印刷の意図がないと検知し、
前記印刷手段は、印刷を行わない、
請求項８に記載の画像処理装置。
【請求項１１】
前記操作者を認証するための情報を受け付ける第１の受付手段と、
前記操作者を認証するための情報を受け付ける第２の受付手段
をさらに有し、
前記検知手段は、前記第１の受付手段が操作者を認証するための情報を受け付けた場合は、該操作者に印刷の意図があると検知する、
請求項１に記載の画像処理装置。
【請求項１２】
前記操作者を認証するための情報を受け付ける第１の受付手段と、
前記操作者を認証するための情報を受け付ける第２の受付手段
をさらに有し、
前記検知手段は、前記第２の受付手段が操作者を認証するための情報を受け付けた場合は、該操作者に印刷の意図がないと検知し、
前記印刷手段は、印刷を行わない、
請求項１に記載の画像処理装置。
【請求項１３】
コンピュータを、
操作者を認証する認証手段と、
前記認証手段による認証の際に、前記操作者の印刷の意図を検知する検知手段と、
前記検知手段によって印刷の意図を検知した場合は、前記操作者による印刷指示にしたがって印刷する印刷手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、ユーザーのプリントジョブ又はそのアウトプットを適宜に処理でき、タイムリなサービスの提供とセキュリティの確保を調和することを課題とし、顔検出処理部は撮像画像中に顔画像があるかどうかを判別し、顔を判別したら例えばその中点の位置、移動等を検出し、また顔の向きや顔の大きさを判別し、顔認識処理部は顔画像から特徴量を抽出して、各登録ユーザーの特徴量とマッチングさせてユーザーのアイデンティティ（ユーザーＩＤ）を出力し、接近判断部は顔検出処理部、顔認識処理部からの出力に基づいて、接近状態を示す出力及び当該ユーザーＩＤを出力し、プリンターコントロール部はユーザーＩＤに基づいて例えば当該ユーザーがオーナであるプリントジョブについてプリント開始を行うことが開示されている。
【０００３】
特許文献２には、ユーザーの利便性を損なうことなく、顔認証による個人認証の精度を向上させることを課題とし、個人認証装置に、画像中の顔画像の位置情報と該顔画像の特徴情報とを関連づけた個人認証情報を記憶している個人認証情報記憶部、照合用の画像を入力する画像入力部、画像から顔画像を検出する顔画像検出部、画像中の顔画像の位置情報を取得する位置情報取得部、顔画像の特徴情報を取得する特徴情報取得部、上記特徴情報と個人認証情報に含まれる特徴情報とを比較しその一致度を求める顔認証部、上記位置情報と個人認証情報に含まれる位置情報とを比較しその一致度を求める位置認証部、及び、特徴情報の一致度が所定値以上、かつ、位置情報の一致度が所定値以上の場合に、対応する個人認証情報により特定されるユーザーと照合用の画像から検出された顔画像の人物とを同一人物であると判定する判定部を設けたことが開示されている。
【先行技術文献】
【特許文献】
【０００４】
【特許文献１】特開２００６−０８８４９９号公報
【特許文献２】特開２００７−１５６７６８号公報
【発明の概要】
【発明が解決しようとする課題】
【０００５】
操作者が認証されたことを条件として、その操作者による印刷指示を実行してしまうと、その操作者は印刷以外の別の目的で使用しようとしているにもかかわらず、印刷が行われてしまうことになる。
本発明は、操作者の認証の際に印刷の意図を検知した場合には、その操作者による印刷指示にしたがって印刷をすることができる画像処理装置及び画像処理プログラムを提供することを目的としている。
【課題を解決するための手段】
【０００６】
かかる目的を達成するための本発明の要旨とするところは、次の各項の発明に存する。
請求項１の発明は、操作者を認証する認証手段と、前記認証手段による認証の際に、前記操作者の印刷の意図を検知する検知手段と、前記検知手段によって印刷の意図を検知した場合は、前記操作者による印刷指示にしたがって印刷する印刷手段を有する画像処理装置である。
【０００７】
請求項２の発明は、前記認証手段は、前記操作者の顔認証を行い、前記検知手段は、表示手段に表示された前記操作者の顔の位置にしたがって、該操作者の印刷の意図を検知する、請求項１に記載の画像処理装置である。
【０００８】
請求項３の発明は、前記検知手段は、前記表示手段の表示領域に設けられた、予め定められた領域に、前記操作者の顔が表示されている場合に、該操作者に印刷の意図があると検知する、請求項２に記載の画像処理装置である。
【０００９】
請求項４の発明は、前記表示手段は、前記検知手段によって印刷の意図があると検知した場合は、印刷が行われる旨を表示する、請求項３に記載の画像処理装置である。
【００１０】
請求項５の発明は、前記検知手段は、予め定められた領域以外の領域に、前記操作者の顔が表示されている場合に、該操作者に印刷の意図がないと検知し、前記印刷手段は、印刷を行わない、請求項２に記載の画像処理装置である。
【００１１】
請求項６の発明は、前記操作者の認証を行い、認証された場合には、該操作者からの、画像処理を実行するための指示を受け付けることができる、請求項５に記載の画像処理装置である。
【００１２】
請求項７の発明は、前記表示手段は、前記検知手段によって印刷の意図がないと検知した場合であって、前記操作者の印刷指示がある場合は、該印刷指示による印刷は行われない旨を表示する、請求項５に記載の画像処理装置である。
【００１３】
請求項８の発明は、前記操作者の存在している位置を検知する第２の検知手段をさらに有し、前記検知手段は、前記操作者の存在している位置にしたがって、該操作者の印刷の意図を検知する、請求項１に記載の画像処理装置である。
【００１４】
請求項９の発明は、前記検知手段は、予め定められた領域に、前記操作者が存在している場合に、該操作者に印刷の意図があると検知する、請求項８に記載の画像処理装置である。
【００１５】
請求項１０の発明は、前記検知手段は、予め定められた領域に、前記操作者が存在していない場合に、該操作者に印刷の意図がないと検知し、前記印刷手段は、印刷を行わない、請求項８に記載の画像処理装置である。
【００１６】
請求項１１の発明は、前記操作者を認証するための情報を受け付ける第１の受付手段と、前記操作者を認証するための情報を受け付ける第２の受付手段をさらに有し、前記検知手段は、前記第１の受付手段が操作者を認証するための情報を受け付けた場合は、該操作者に印刷の意図があると検知する、請求項１に記載の画像処理装置である。
【００１７】
請求項１２の発明は、前記操作者を認証するための情報を受け付ける第１の受付手段と、前記操作者を認証するための情報を受け付ける第２の受付手段をさらに有し、前記検知手段は、前記第２の受付手段が操作者を認証するための情報を受け付けた場合は、該操作者に印刷の意図がないと検知し、前記印刷手段は、印刷を行わない、請求項１に記載の画像処理装置である。
【００１８】
請求項１３の発明は、コンピュータを、操作者を認証する認証手段と、前記認証手段による認証の際に、前記操作者の印刷の意図を検知する検知手段と、前記検知手段によって印刷の意図を検知した場合は、前記操作者による印刷指示にしたがって印刷する印刷手段として機能させるための画像処理プログラムである。
【発明の効果】
【００１９】
請求項１の画像処理装置によれば、操作者の認証の際に印刷の意図を検知した場合には、その操作者による印刷指示にしたがって印刷をすることができる。
【００２０】
請求項２の画像処理装置によれば、表示手段に表示された操作者の顔の位置にしたがって、その操作者の印刷の意図を検知することができる。
【００２１】
請求項３の画像処理装置によれば、表示手段の表示領域に設けられた、予め定められた領域に、操作者の顔が表示されている場合に、その操作者に印刷の意図があると検知することができる。
【００２２】
請求項４の画像処理装置によれば、印刷の意図があると検知した場合は、印刷が行われる旨を表示することができる。
【００２３】
請求項５の画像処理装置によれば、予め定められた領域以外の領域に、操作者の顔が表示されている場合に、その操作者に印刷の意図がないと検知する。
【００２４】
請求項６の画像処理装置によれば、認証後は、操作者からの、画像処理を実行するための指示を受け付けることができる。
【００２５】
請求項７の画像処理装置によれば、印刷の意図がないと検知した場合であって、操作者の印刷指示がある場合は、その印刷指示による印刷は行われない旨を表示することができる。
【００２６】
請求項８の画像処理装置によれば、操作者の存在している位置にしたがって、その操作者の印刷の意図を検知することができる。
【００２７】
請求項９の画像処理装置によれば、予め定められた領域に、操作者が存在している場合に、その操作者に印刷の意図があると検知することができる。
【００２８】
請求項１０の画像処理装置によれば、予め定められた領域に、操作者が存在していない場合に、その操作者に印刷の意図がないと検知することができる。
【００２９】
請求項１１の画像処理装置によれば、第１の受付手段が操作者を認証するための情報を受け付けた場合は、その操作者に印刷の意図があると検知することができる。
【００３０】
請求項１２の画像処理装置によれば、第２の受付手段が操作者を認証するための情報を受け付けた場合は、その操作者に印刷の意図がないと検知することができる。
【００３１】
請求項１３の画像処理プログラムによれば、操作者の認証の際に印刷の意図を検知した場合には、その操作者による印刷指示にしたがって印刷をすることができる。
【図面の簡単な説明】
【００３２】
【図１】第１の実施の形態の構成例についての概念的なモジュール構成図である。
【図２】本実施の形態を利用したシステム構成例を示す説明図である。
【図３】第１の実施の形態による処理例を示すフローチャートである。
【図４】印刷指示テーブルのデータ構造例を示す説明図である。
【図５】第１の実施の形態による処理例を示すフローチャートである。
【図６】第１の実施の形態による処理例を示す説明図である。
【図７】第１の実施の形態による処理例を示す説明図である。
【図８】顔画像認証テーブルのデータ構造例を示す説明図である。
【図９】第２の実施の形態の構成例についての概念的なモジュール構成図である。
【図１０】第２の実施の形態による処理例を示すフローチャートである。
【図１１】第３の実施の形態の構成例についての概念的なモジュール構成図である。
【図１２】第３の実施の形態による処理例を示すフローチャートである。
【図１３】本実施の形態を実現するコンピュータのハードウェア構成例を示すブロック図である。
【発明を実施するための形態】
【００３３】
以下、図面に基づき本発明を実現するにあたっての好適な各種の実施の形態の例を説明する。
まず、本実施の形態を説明する前に、その前提又は本実施の形態を利用する画像処理装置について説明する。なお、この説明は、本実施の形態の理解を容易にすることを目的とするものである。ここでの画像処理装置は、プリンター、ファックス、又は、複合機（スキャナー、プリンター、複写機、ファックス等のいずれか２つ以上の機能を有している画像処理装置であって、少なくとも、プリンター、ファックスのいずれかの機能を有している）等である。
画像形成装置において、利用者を撮像した顔画像を用いて認証を行い、認証が成功した場合に、その利用者がオーナである印刷指示についてプリント開始を行う技術が知られている（特許文献１参照）。
この方法では、利用者はＰＣ（Ｐｅｒｓｏｎａｌ  Ｃｏｍｐｕｔｅｒ）側でプリント指示をしておけば、画像処理装置前では認証をするだけで所望の文書出力を得ることができる。つまり、認証されたことを条件として、その利用者の印刷指示にしたがった印刷が行われる。
さらに、印刷指示に顔認識に基づくプリント制御を行うかどうかを示す属性を付加して、印刷指示の分量や、緊急性に応じて顔認識時の出力有無を制御することが記載されている。しかし、この方法では印刷指示ひとつずつに適切な属性を付与するのは煩雑である。また、印刷指示した文書を別のタイミングで受け取りたい場合には問題が生じる。印刷指示に属性として「出力有」をつけた場合、出力を望まないタイミングであるにも関わらず顔認証時に出力されてしまう。一方、印刷指示に属性として「出力無」をつけた場合、出力を望まないタイミングでは顔認証時に出力されないが、その後出力を望むタイミングで顔認証をしても出力されず、パネルから煩雑な操作を行って印刷指示を開始する必要があった。
そこで本実施の形態では、認証時に利用者の出力意図の有無に合わせて、必要であれば煩雑な操作なしに印刷指示を開始させられるようにしている。
【００３４】
＜＜第１の実施の形態＞＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３５】
第１の実施の形態である画像処理装置２００は、印刷指示にしたがって印刷をするものであって、図１の例に示すように、認証装置１００、印刷モジュール１５５、制御モジュール１６０を有している。印刷指示とは、印刷ジョブ、プリントジョブともいわれており、ユーザーの操作によって文書の印刷の操作が行われた場合に、その文書（印刷用に変換されたものであってもよい）、印刷属性（用紙サイズ、カラー指定等）等を内容として、画像処理装置２００に送信されるものである。なお、印刷指示として、ファックス受信を含めてもよい。ファックス受信の場合は、宛先を示す情報が含まれている場合は、その宛先のユーザーが印刷指示を行った利用者であるとすればよい。
画像処理装置２００は、通信回線等を介して、ユーザー（印刷指示者）からの印刷指示を受け付ける。そして、印刷物のセキュリティを確保するために（具体的には、他人の盗み見等を防止するために）、画像処理装置２００にユーザーが認証されたこと（いわゆるログイン）、そのユーザーに印刷の意図があることを条件として、その印刷指示にしたがった印刷を行う。
印刷モジュール１５５は、認証装置１００の印刷指示抽出モジュール１５０と接続されている。印刷モジュール１５５は、印刷指示抽出モジュール１５０による制御にしたがって印刷を行う。いわゆるプリンターとしての機能を有している。
制御モジュール１６０は、画像処理装置２００の機能を発揮させるために、画像処理装置２００内の各モジュールを制御する。
【００３６】
認証装置１００は、印刷指示受付モジュール１０５、印刷指示記憶モジュール１１０、撮像ガイド提示モジュール１１５、撮像モジュール１２０、ユーザー操作受付モジュール１２５、出力意図検知モジュール１３０、認証モジュール１３５、印刷指示抽出モジュール１５０を有している。
印刷指示受付モジュール１０５は、印刷指示記憶モジュール１１０と接続されている。印刷指示受付モジュール１０５は、印刷指示を受け付ける。例えば、ユーザーのＰＣから通信回線を介して受け取ったり、他のファックスから電話回線（通信回線であってもよい）を介して受け取ったりする。受け取った印刷指示を印刷指示記憶モジュール１１０に記憶させる。印刷指示には、前述したように、文書（印刷用に変換されたものであってもよい）、印刷属性（用紙サイズ、カラー指定等）等が含まれている。この他に、印刷指示者を示す情報（例えば、ユーザーＩＤ：ＩＤｅｎｔｉｆｉｃａｔｉｏｎ）が含まれていてもよい。また、印刷指示内に印刷指示者を示す情報が含まれていない場合は、印刷指示とともに印刷指示者を示す情報を受け取ってもよい。「認証モジュール１３５によって認証されたユーザーを示す情報」と「印刷指示内の印刷指示者を示す情報」が一致する印刷指示が、認証時の印刷対象となる。
印刷指示記憶モジュール１１０は、印刷指示受付モジュール１０５、印刷指示抽出モジュール１５０と接続されている。印刷指示記憶モジュール１１０は、印刷指示受付モジュール１０５が受け取った印刷指示を記憶する。
【００３７】
撮像ガイド提示モジュール１１５は、出力意図検知モジュール１３０と接続されている。撮像ガイド提示モジュール１１５は、ユーザーに対して、顔認証のためのガイド（説明）、出力意図検知モジュール１３０、認証モジュール１３５による処理結果等を提示する。提示には、液晶ディスプレイ等の表示装置への表示の他に、３Ｄ（Ｄｉｍｅｎｓｉｏｎｓ）映像としての出力を含めてもよく、さらに、スピーカー等の音声出力装置による音声の出力、振動等を組み合わせてもよい。
撮像モジュール１２０は、出力意図検知モジュール１３０、認証モジュール１３５と接続されている。撮像モジュール１２０は、ユーザー（ユーザーの顔）を撮像する。具体的には、デジタルカメラである。撮像した画像を、出力意図検知モジュール１３０、認証モジュール１３５に渡す。
ユーザー操作受付モジュール１２５は、出力意図検知モジュール１３０と接続されている。ユーザー操作受付モジュール１２５は、ユーザーの操作を受け付ける。具体的には、パネル（タッチスクリーン）等である。受け付けた操作を出力意図検知モジュール１３０に渡す。受け付けるユーザーの操作として、例えば、印刷指示記憶モジュール１１０に記憶されている印刷指示による印刷を開始させるための操作等がある。
【００３８】
出力意図検知モジュール１３０は、撮像ガイド提示モジュール１１５、撮像モジュール１２０、ユーザー操作受付モジュール１２５、印刷指示抽出モジュール１５０と接続されている。出力意図検知モジュール１３０は、認証モジュール１３５による認証の際に、操作者の印刷の意図を検知する。
また、出力意図検知モジュール１３０は、撮像ガイド提示モジュール１１５に表示された操作者の顔の位置にしたがって、その操作者の印刷の意図を検知するようにしてもよい。
そして、出力意図検知モジュール１３０は、撮像ガイド提示モジュール１１５の表示領域に設けられた、予め定められた領域に、操作者の顔が表示されている場合に、その操作者に印刷の意図があると検知するようにしてもよい。ここでの「予め定められた領域」として、画像処理装置２００の用紙取り出し口がある方向の領域とする。
さらに、撮像ガイド提示モジュール１１５は、出力意図検知モジュール１３０によって印刷の意図があると検知した場合は、印刷が行われる旨を表示するようにしてもよい。具体的には、認証が成功した場合には、自動的に（ユーザー操作受付モジュール１２５に対する操作がなくても）、その操作者の印刷指示記憶モジュール１１０に記憶されている印刷指示にしたがって印刷を行う旨を表示する。
【００３９】
また、出力意図検知モジュール１３０は、予め定められた領域以外の領域に、操作者の顔が表示されている場合に、その操作者に印刷の意図がないと検知してもよい。そして、この場合、印刷モジュール１５５は、印刷を行わない。具体的には、その操作者による印刷指示が印刷指示記憶モジュール１１０に記憶されていたとしても、その印刷指示にしたがった印刷は行わない。ただし、印刷を行わないのは、認証直後に自動的に印刷はしないとのことであって、その操作者によって、ユーザー操作受付モジュール１２５が操作され、印刷指示記憶モジュール１１０に記憶されている印刷指示（本来、印刷の意図があると検知して印刷が行われるはずであった印刷指示を含めてもよい）にしたがった印刷を行うという操作を受け付けた場合は、印刷を行う。つまり、操作者の認証を行い、認証された場合（認証成功の場合）には、その操作者からの、画像処理を実行するための指示を受け付けることができる。ここでの画像処理として、ファックス送信、スキャン、複写等の他に、前述したように、印刷指示記憶モジュール１１０に記憶されている印刷指示にしたがった印刷も含まれる。
さらに、撮像ガイド提示モジュール１１５は、出力意図検知モジュール１３０によって印刷の意図がないと検知した場合であって、操作者の印刷指示がある場合は、その印刷指示による印刷は行われない旨を表示するようにしてもよい。ここで「操作者の印刷指示がある場合」とは、既に、その操作者による印刷指示を受け付けている場合（具体的には、印刷指示記憶モジュール１１０に、その操作者の印刷指示が記憶されている場合）をいう。
【００４０】
なお、撮像ガイド提示モジュール１１５には、撮像モジュール１２０が撮像した操作者の顔が写っているので、前述の「撮像ガイド提示モジュール１１５に表示された操作者の顔の位置」として、「撮像モジュール１２０が撮像した画像内で操作者の顔が写っている位置」としてもよい。すなわち、出力意図検知モジュール１３０は、撮像モジュール１２０が撮像した画像内で操作者の顔が写っている位置にしたがって、その操作者の印刷の意図を検知するようにしてもよい。そして、出力意図検知モジュール１３０は、画像内の予め定められた領域に、操作者の顔が写っている場合に、その操作者に印刷の意図があると検知するようにしてもよい。ここでの「予め定められた領域」として、画像処理装置２００の用紙取り出し口がある方向の領域とする。
そして、出力意図検知モジュール１３０は、予め定められた領域以外の領域に、操作者の顔が写っている場合に、その操作者に印刷の意図がないと検知してもよい。
【００４１】
認証モジュール１３５は、照合モジュール１４０、顔画像記憶モジュール１４５を有しており、撮像モジュール１２０、印刷指示抽出モジュール１５０と接続されている。認証モジュール１３５は、操作者を認証する。
認証モジュール１３５は、操作者の顔認証を行うようにしてもよい。例えば、認証モジュール１３５は、画像処理装置２００の利用者を撮像モジュール１２０で撮影した顔画像と顔画像記憶モジュール１４５に予め記憶済みの利用者の顔画像とを比較することで照合を行い、照合が成功した場合に照合できた利用者で認証を行う。
照合モジュール１４０は、顔画像記憶モジュール１４５と接続されている。照合モジュール１４０は、撮像モジュール１２０が撮像した顔画像と顔画像記憶モジュール１４５内に記憶された顔画像との照合を行う。照合は、既知の顔画像照合技術を用いればよい。もちろんのことながら、顔画像そのものの照合ではなく、顔画像から特徴抽出して、その特徴量での照合を行ってもよい。
顔画像記憶モジュール１４５は、照合モジュール１４０と接続されている。顔画像記憶モジュール１４５は、ユーザー毎に顔画像（又は、その顔画像の特徴量）を記憶している。例えば、顔画像認証テーブル８００を記憶している。図８は、顔画像認証テーブル８００のデータ構造例を示す説明図である。顔画像認証テーブル８００は、ユーザーＩＤ欄８１０、顔画像欄８２０を有している。ユーザーＩＤ欄８１０は、本実施の形態において、ユーザーを一意に識別するための情報（ユーザーＩＤ）を記憶している。顔画像欄８２０は、そのユーザーＩＤのユーザーの顔画像を記憶している。
印刷指示抽出モジュール１５０は、印刷指示記憶モジュール１１０、出力意図検知モジュール１３０、認証モジュール１３５、印刷モジュール１５５と接続されている。印刷指示抽出モジュール１５０は、出力意図検知モジュール１３０によって印刷の意図を検知した場合は、認証モジュール１３５によって認証されたユーザーのユーザーＩＤに対応する印刷指示を認証装置１００から抽出し、その印刷指示にしたがって、印刷するように印刷モジュール１５５を制御する。
【００４２】
図２は、本実施の形態を利用したシステム構成例を示す説明図である。
画像処理装置２００は、認証装置１００を有している。画像処理装置２００、ユーザー端末２１０Ａ、ユーザー端末２１０Ｂ、ユーザー端末２１０Ｃは、通信回線２９０を介してそれぞれ接続されている。通信回線２９０は、無線、有線、これらの組み合わせであってもよく、例えば、通信インフラとしてのインターネット、イントラネット等であってもよい。
ユーザー２２０がユーザー端末２１０を操作することによって、画像処理装置２００に印刷指示が送信される。その後、そのユーザー２２０は、印刷物を受け取るために画像処理装置２００に行く。画像処理装置２００では、そのユーザー２２０を認証し、認証の際に、ユーザー２２０の印刷の意図を検知した場合は、認証したすぐ後（ユーザー２２０による印刷開始の操作をする必要なく）、印刷指示にしたがった印刷を行う。印刷の意図がないと検知した場合は、その印刷は行わない。例えば、ユーザー２２０は、顔画像の認証時（撮像時）の顔の位置によって、印刷の意図を示すことができる。したがって、ユーザー２２０は、認証時の顔の位置によって、印刷を行わせるか否かを指定することができることになる。
【００４３】
図３は、第１の実施の形態による処理例（印刷指示の受付処理例）を示すフローチャートである。
ステップＳ３０２では、印刷指示受付モジュール１０５は、印刷指示を受け付ける。
ステップＳ３０４では、印刷指示受付モジュール１０５は、ユーザーＩＤと対応付けて印刷指示を印刷指示記憶モジュール１１０に記憶する。例えば、印刷指示テーブル４００を生成する。図４は、印刷指示テーブル４００のデータ構造例を示す説明図である。印刷指示テーブル４００は、ユーザーＩＤ欄４１０、印刷指示ＩＤ欄４２０を有している。ユーザーＩＤ欄４１０は、ユーザーＩＤを記憶している。印刷指示ＩＤ欄４２０は、そのユーザーによって行われた印刷指示であって、本実施の形態において、その印刷指示を一意に識別するための情報（印刷指示ＩＤ）を記憶している。
【００４４】
図５は、第１の実施の形態による処理例（顔認証処理例）を示すフローチャートである。
ステップＳ５０２では、撮像ガイド提示モジュール１１５は、ガイドを提示する。例えば、図６（ａ）に示す画面６００を、画像処理装置２００が備えている液晶ディスプレイ等の表示装置に表示する。画面６００には、メッセージ領域６１０、撮像画像表示領域６２０を表示し、撮像画像表示領域６２０内に出力意図有領域６２５を表示する。メッセージ領域６１０には、例えば、「登録したユーザーは顔を向けてください。点線枠（出力意図有領域６２５）内に顔を入れると認証と同時にプリント出力されます。その他の領域では認証のみです。」と表示するようにしてもよい。そして、印刷意図がなければ、認証だけ完了させて、画像処理装置２００にログインできる。ログイン後は、ファックス送信やスキャンなどのサービスを実行できる。また、操作者は、印刷したい印刷ジョブを選択して印刷指示も行うことができる。図６（ｂ）の例に示すように、撮像画像表示領域６２０内は、出力意図有領域６２５、出力意図無領域６３０に分かれている。なお、出力意図有領域６２５は、用紙取り出し口がある方向の領域としてもよい。つまり、用紙取り出し口側に、ユーザーが立っている場合は、印刷の意図があると判断されることになる。
【００４５】
ステップＳ５０４では、撮像モジュール１２０は、ユーザー２２０を撮像する。
ステップＳ５０６では、撮像モジュール１２０は、顔の検知に成功したか否かを判断し、成功した場合はステップＳ５０８へ進み、それ以外の場合はステップＳ５０４へ戻る。顔の検知は、既知の顔画像検知技術を用いればよい。
【００４６】
ステップＳ５０８では、出力意図検知モジュール１３０は、顔の位置を取得する。撮像画像表示領域６２０内での顔画像の位置（又は、撮像された画像内での顔画像の位置）を検知する。
ステップＳ５１０では、出力意図検知モジュール１３０は、顔の位置が右枠内にあるか否かを判断し、右枠内にある場合はステップＳ５１２へ進み、それ以外の場合はステップＳ５１４へ進む。ここで、顔の位置として、例えば、顔の予め定められた位置（例えば、中心位置、重心位置、目の位置、鼻の位置等であってもよい）であってもよいし、顔全体としてもよい。つまり、前者の場合は、顔の予め定められた位置が、右枠（出力意図有領域６２５）内にあるか否かを判断し、後者の場合は、顔全体が、右枠（出力意図有領域６２５）内にあるか否かを判断することになる。
ステップＳ５１２では、撮像ガイド提示モジュール１１５は、枠の強調表示をＯＮにする。例えば、図７（ａ）に示すように、顔画像７１０が出力意図有領域６２５内にある場合は、出力意図有領域６２５の枠を太くし、出力意図無領域６３０を暗くする。その他、メッセージ領域６１０に「そのままで認証した場合は、認証と同時にプリント出力されます。」等のガイドを表示するようにしてもよい。
ステップＳ５１４では、撮像ガイド提示モジュール１１５は、枠の強調表示をＯＦＦにする。例えば、図７（ｂ）に示すように、顔画像７１０が出力意図無領域６３０内にある場合は、出力意図有領域６２５、出力意図無領域６３０の形態はそのままとしている。なお、出力意図無領域６３０の枠を太くする等の表示に変更してもよい。その他、メッセージ領域６１０に「そのままで認証した場合は、プリント出力しません。」等のガイドを表示するようにしてもよい。
【００４７】
ステップＳ５１６では、照合モジュール１４０は、顔の照合に成功したか否かを判断し、成功した場合はステップＳ５１８へ進み、それ以外の場合はステップＳ５０４へ戻る。
ステップＳ５１８では、認証モジュール１３５は、認証処理を行う。認証された後（ユーザーＩＤが判明した後）に、そのユーザーに対応する印刷指示が印刷指示記憶モジュール１１０内にあって、右枠（出力意図有領域６２５）内に顔画像がある場合は、その印刷指示によって印刷が開始される旨を表示してもよい。そして、左枠（出力意図無領域６３０）内に顔画像がある場合は、そのユーザーに対応する印刷指示が印刷指示記憶モジュール１１０内にあったとしても、その印刷指示によって印刷はされない旨を表示してもよい。また、そのユーザーに対応する印刷指示が印刷指示記憶モジュール１１０内に無い場合であって、右枠（出力意図有領域６２５）内に顔画像があるときは、印刷指示を受けていない旨を表示するようにしてもよい。
【００４８】
ステップＳ５２０では、出力意図検知モジュール１３０は、顔画像の座標の変化を検出したか否かを判断し、検出した場合はステップＳ５２２へ進み、それ以外の場合はステップＳ５４２へ進む。いわゆるブレが発生したか否かを判断している。例えば、ステップＳ５０８での顔画像７１０の位置とステップＳ５２０での顔画像７１０の位置で、変化したか否かを判断すればよい。変化がない場合は、その意図（印刷するか否かの意図）が定まっていると判断して、ステップＳ５４２へ進む。変化がある場合は、その意図（印刷するか否かの意図）が定まっていない可能性があるので、ステップＳ５２２へ進む。
【００４９】
ステップＳ５２２では、出力意図検知モジュール１３０は、計時を開始する。ステップＳ５４０での判断を行うために計時を開始する。
ステップＳ５２４では、ユーザー操作受付モジュール１２５は、パネルを操作したか否かを判断し、操作した場合は処理を終了し（ステップＳ５９９）、それ以外の場合はステップＳ５２６へ進む。パネルに対して操作が行われた場合は、印刷の意図がないと判断して、ステップＳ５４６の処理を行わずに、認証だけをする。つまり、画像処理装置２００を操作可能状態にする。なお、ステップＳ５２４の判断処理は、ステップＳ５１８以降であれば、いつ行ってもよい。例えば、割り込み処理としてもよい。
【００５０】
ステップＳ５２６からステップＳ５３６までの処理は、ステップＳ５０４からステップＳ５１４までの処理と同等である。
ステップＳ５２６では、撮像モジュール１２０は、ユーザー２２０を撮像する。
ステップＳ５２８では、出力意図検知モジュール１３０は、顔の検知に成功したか否かを判断し、成功した場合はステップＳ５３０へ進み、それ以外の場合はステップＳ５２６へ戻る。
ステップＳ５３０では、出力意図検知モジュール１３０は、顔の位置を取得する。
ステップＳ５３２では、出力意図検知モジュール１３０は、顔の位置が右枠内にあるか否かを判断し、右枠内にある場合はステップＳ５３４へ進み、それ以外の場合はステップＳ５３６へ進む。
ステップＳ５３４では、撮像ガイド提示モジュール１１５は、枠の強調表示をＯＮにする。
ステップＳ５３６では、撮像ガイド提示モジュール１１５は、枠の強調表示をＯＦＦにする。
【００５１】
ステップＳ５３８では、出力意図検知モジュール１３０は、顔画像の座標の変化を検出したか否かを判断し、検出した場合はステップＳ５４０へ進み、それ以外の場合はステップＳ５４２へ進む。例えば、ステップＳ５３０での顔画像７１０の位置とステップＳ５３８での顔画像７１０の位置で、変化したか否かを判断すればよい。変化がない場合は、その意図（印刷するか否かの意図）が定まっていると判断して、ステップＳ５４２へ進む。変化がある場合は、その意図（印刷するか否かの意図）が未だ定まっていない可能性があるので、ステップＳ５４０へ進む。
【００５２】
ステップＳ５４０では、出力意図検知モジュール１３０は、ステップＳ５２２からの時間がタイムアウトした（計時している時間が予め定められた閾値より大きい又は以上である）か否かを判断し、タイムアウトした場合はステップＳ５４２へ進み、それ以外の場合はステップＳ５２６へ戻る。
ステップＳ５４２では、出力意図検知モジュール１３０は、顔の位置が右枠内にあるか否かを判断し、右枠内にある場合はステップＳ５４４へ進み、それ以外の場合は処理を終了する（ステップＳ５９９）。ステップＳ５１０と同等の処理である。
ステップＳ５４４では、印刷指示抽出モジュール１５０は、認証されたユーザーの印刷指示を印刷指示記憶モジュール１１０から抽出する。
ステップＳ５４６では、印刷モジュール１５５は、印刷を開始する。
【００５３】
＜＜第２の実施の形態＞＞
図９は、第２の実施の形態の構成例についての概念的なモジュール構成図である。なお、第１の実施の形態と同種の部位には同一符号を付し重複した説明を省略する（以下、同様）。
画像処理装置２００は、認証装置９００、印刷モジュール１５５、制御モジュール１６０を有している。
認証装置９００は、印刷指示受付モジュール１０５、印刷指示記憶モジュール１１０、撮像ガイド提示モジュール１１５、人感センサモジュール９２０、ユーザー操作受付モジュール１２５、出力意図検知モジュール９３０、認証モジュール１３５、印刷指示抽出モジュール１５０、認証情報受付モジュール９４０を有している。
印刷指示受付モジュール１０５は、印刷指示記憶モジュール１１０と接続されている。
印刷指示記憶モジュール１１０は、印刷指示受付モジュール１０５、印刷指示抽出モジュール１５０と接続されている。
撮像ガイド提示モジュール１１５は、出力意図検知モジュール９３０と接続されている。
【００５４】
人感センサモジュール９２０は、出力意図検知モジュール９３０と接続されている。人感センサモジュール９２０は、操作者の存在している位置を検知する。「操作者の存在している位置」として、例えば、操作者が立っている位置等が該当する。例えば、赤外線センサ、超音波センサ、可視光センサ等がある。人感センサモジュール９２０は複数であってもよい。例えば、用紙取り出し口の近辺に人感センサモジュール９２０を取り付けることで、画像処理装置２００の用紙取り出し口側にユーザーが立ったことを検知するようにしてもよい。
ユーザー操作受付モジュール１２５は、出力意図検知モジュール９３０と接続されている。
出力意図検知モジュール９３０は、撮像ガイド提示モジュール１１５、人感センサモジュール９２０、ユーザー操作受付モジュール１２５、印刷指示抽出モジュール１５０と接続されている。出力意図検知モジュール９３０は、操作者の存在している位置にしたがって、その操作者の印刷の意図を検知する。
そして、出力意図検知モジュール９３０は、予め定められた領域に、操作者が存在している場合に、その操作者に印刷の意図があると検知するようにしてもよい。ここで「予め定められた領域」として、画像処理装置２００の用紙取り出し口がある方向の領域としてもよい。例えば、人感センサモジュール９２０が、人間の位置（人感センサモジュール９２０の右側、左側等）を検知でき、用紙取り出し口にいることを検知した場合は、その操作者に印刷の意図があると検知するようにしてもよい。また、例えば、人感センサモジュール９２０が複数取り付けられており、用紙取り出し口の近辺に取り付けられた人感センサモジュール９２０が反応した場合は、その操作者に印刷の意図があると検知するようにしてもよい。
また、出力意図検知モジュール９３０は、予め定められた領域に、操作者が存在していない場合に、その操作者に印刷の意図がないと検知するようにしてもよい。その場合、印刷指示抽出モジュール１５０は、印刷指示記憶モジュール１１０からその操作者の印刷指示を抽出することは行わず、印刷モジュール１５５に印刷を行わせる制御も行わない。
【００５５】
認証情報受付モジュール９４０は、認証モジュール１３５と接続されている。認証情報受付モジュール９４０は、操作者から認証用の情報を受け付ける。例えば、認証情報受付モジュール９４０は、第１の実施の形態による撮像モジュール１２０であってもよいし、ＩＣカードリーダーであってもよいし、指紋等の生体情報の読取装置、ユーザーＩＤとパスワードを入力するためのキーボード等であってもよい。その場合、認証用の情報は、それぞれ、顔画像、ＩＣカード内の情報、指紋画像等の生体情報、ユーザーＩＤとパスワード等になる。
認証モジュール１３５は、照合モジュール１４０、照合用情報記憶モジュール９４５を有しており、認証情報受付モジュール９４０、印刷指示抽出モジュール１５０と接続されている。認証モジュール１３５は、操作者を認証する。
照合モジュール１４０は、照合用情報記憶モジュール９４５と接続されている。照合モジュール１４０は、認証情報受付モジュール９４０が受け付けた認証用の情報と照合用情報記憶モジュール９４５内の情報との照合を行う。
照合用情報記憶モジュール９４５は、照合モジュール１４０と接続されている。照合用情報記憶モジュール９４５は、ユーザーＩＤとそのユーザーの認証用の情報とを対応させて記憶している。つまり、照合用情報記憶モジュール９４５内の認証用の情報と、認証情報受付モジュール９４０が受け付けた認証用の情報が一致する場合は、その操作者はそのユーザーＩＤのユーザーであると認証されることになる。
【００５６】
印刷指示抽出モジュール１５０は、印刷指示記憶モジュール１１０、出力意図検知モジュール９３０、認証モジュール１３５、印刷モジュール１５５と接続されている。
印刷モジュール１５５は、認証装置９００の印刷指示抽出モジュール１５０と接続されている。
制御モジュール１６０は、画像処理装置２００の機能を発揮させるために、画像処理装置２００内の各モジュールを制御する。
第２の実施の形態は、例えば、以下のように用いられる。ユーザーはＩＣカードを持ち、画像処理装置２００の前面でＩＣカードを認証情報受付モジュール９４０（ＩＣカードリーダー）に翳すことで認証する。照合が成功して認証できた後、予め定められた期間内（例えば、５秒以内）に、人感センサモジュール９２０により画像処理装置２００の用紙取り出し口側にユーザーが移動したことを検知すると出力意図ありと判断して、認証したユーザーのプリント出力を開始する。また、予め定められた期間内に限らず、ユーザーがパネルを操作するまで人感センサモジュール９２０よる出力意図の検出を行ってもよい。
【００５７】
図１０は、第２の実施の形態による処理例を示すフローチャートである。この処理例は、認証情報受付モジュール９４０が第１の実施の形態の撮像モジュール１２０と同等のものであり、顔画像認証を行うものである。
ステップＳ１００２では、撮像ガイド提示モジュール１１５は、ガイドを提示する。ステップＳ５０２と同等の処理である。
ステップＳ１００４では、認証情報受付モジュール９４０は、ユーザー２２０を撮像する。ステップＳ５０４と同等の処理である。
ステップＳ１００６では、認証情報受付モジュール９４０は、顔の検知に成功したか否かを判断し、成功した場合はステップＳ１００８へ進み、それ以外の場合はステップＳ１００４へ戻る。ステップＳ５０６と同等の処理である。
ステップＳ１００８では、照合モジュール１４０は、顔の照合に成功したか否かを判断し、成功した場合はステップＳ１０１０へ進み、それ以外の場合はステップＳ１００４へ戻る。ステップＳ５１６と同等の処理である。
ステップＳ１０１０では、認証モジュール１３５は、認証処理を行う。ステップＳ５１８と同等の処理である。
【００５８】
ステップＳ１０１２では、人感センサモジュール９２０は、ユーザーの位置を取得する。
ステップＳ１０１４では、出力意図検知モジュール９３０は、ユーザーの位置は用紙取り出し口側か否かを判断し、ユーザーが用紙取り出し口側にいる場合はステップＳ１０１６へ進み、それ以外の場合は処理を終了する（ステップＳ１０９９）。
ステップＳ１０１６では、印刷指示抽出モジュール１５０は、そのユーザーの印刷指示を印刷指示記憶モジュール１１０から抽出する。ステップＳ５４４と同等の処理である。
ステップＳ１０１８では、印刷モジュール１５５は、印刷を開始する。ステップＳ５４６と同等の処理である。
【００５９】
＜＜第３の実施の形態＞＞
図１１は、第３の実施の形態の構成例についての概念的なモジュール構成図である。
認証装置１１００は、２つの認証情報受付モジュール（認証情報受付モジュール（Ａ）１１０５、認証情報受付モジュール（Ｂ）１１１０）を有している。
操作者は、いずれの認証情報受付モジュールを用いるかによって、印刷の意図を表明することになる。例えば、認証情報受付モジュール（Ａ）１１０５を用いた場合は、操作者に印刷の意図があると検知される。逆に、認証情報受付モジュール（Ｂ）１１１０を用いた場合は、操作者に印刷の意図はないと検知される。
【００６０】
画像処理装置２００は、認証装置１１００、印刷モジュール１５５、制御モジュール１６０を有している。
認証装置１１００は、印刷指示受付モジュール１０５、印刷指示記憶モジュール１１０、認証情報受付モジュール（Ａ）１１０５、認証情報受付モジュール（Ｂ）１１１０、出力意図検知モジュール１１１５、認証モジュール１１２０、ガイド提示モジュール１１２５、印刷指示抽出モジュール１５０を有している。
印刷指示受付モジュール１０５は、印刷指示記憶モジュール１１０と接続されている。
印刷指示記憶モジュール１１０は、印刷指示受付モジュール１０５、印刷指示抽出モジュール１５０と接続されている。
【００６１】
認証情報受付モジュール（Ａ）１１０５は、出力意図検知モジュール１１１５、認証モジュール１１２０と接続されている。認証情報受付モジュール（Ａ）１１０５は、操作者を認証するための情報（認証用の情報）を受け付ける。認証情報受付モジュール（Ａ）１１０５は、例えば、第１の実施の形態による撮像モジュール１２０であってもよいし、ＩＣカードリーダーであってもよいし、指紋等の生体情報の読取装置、ユーザーＩＤとパスワードを入力するためのキーボード等であってもよい。その場合、認証用の情報は、それぞれ、顔画像、ＩＣカード内の情報、指紋画像等の生体情報、ユーザーＩＤとパスワード等になる。
認証情報受付モジュール（Ａ）１１０５は、画像処理装置２００の用紙取り出し口側に設置されていてもよい。
認証情報受付モジュール（Ｂ）１１１０は、出力意図検知モジュール１１１５、認証モジュール１１２０と接続されている。認証情報受付モジュール（Ｂ）１１１０は、操作者を認証するための情報（認証用の情報）を受け付ける。認証情報受付モジュール（Ｂ）１１１０は、例えば、第１の実施の形態による撮像モジュール１２０であってもよいし、ＩＣカードリーダーであってもよいし、指紋等の生体情報の読取装置、ユーザーＩＤとパスワードを入力するためのキーボード等であってもよい。その場合、認証用の情報は、それぞれ、顔画像、ＩＣカード内の情報、指紋画像等の生体情報、ユーザーＩＤとパスワード等になる。
認証情報受付モジュール（Ｂ）１１１０は、認証情報受付モジュール（Ａ）１１０５よりも画像処理装置２００の用紙取り出し口側から遠い位置に設置されていてもよい。
認証情報受付モジュール（Ａ）１１０５と認証情報受付モジュール（Ｂ）１１１０は、同じ認証情報を受け付けてもよいし、異なる認証情報を受け付けるようにしてもよい。例えば、認証情報受付モジュール（Ａ）１１０５、認証情報受付モジュール（Ｂ）１１１０はともにＩＣカードリーダーであってもよいし、認証情報受付モジュール（Ａ）１１０５はＩＣカードリーダーであって、認証情報受付モジュール（Ｂ）１１１０は指紋等の生体情報の読取装置であってもよい。
【００６２】
出力意図検知モジュール１１１５は、認証情報受付モジュール（Ａ）１１０５、認証情報受付モジュール（Ｂ）１１１０、ガイド提示モジュール１１２５、印刷指示抽出モジュール１５０と接続されている。出力意図検知モジュール１１１５は、認証情報受付モジュール（Ａ）１１０５が操作者を認証するための情報を受け付けた場合は、その操作者に印刷の意図があると検知する。
そして、出力意図検知モジュール１１１５は、認証情報受付モジュール（Ｂ）１１１０が操作者を認証するための情報を受け付けた場合は、その操作者に印刷の意図がないと検知する。その場合、印刷指示抽出モジュール１５０は、印刷指示記憶モジュール１１０からその操作者の印刷指示を抽出することは行わず、印刷モジュール１５５に印刷を行わせる制御も行わない。
認証モジュール１１２０は、認証情報受付モジュール（Ａ）１１０５、認証情報受付モジュール（Ｂ）１１１０、印刷指示抽出モジュール１５０と接続されている。認証モジュール１１２０は、認証情報受付モジュール（Ａ）１１０５又は認証情報受付モジュール（Ｂ）１１１０のいずれか一方から受け取った認証用の情報を用いて認証処理を行う。
ガイド提示モジュール１１２５は、出力意図検知モジュール１１１５と接続されている。ガイド提示モジュール１１２５は、認証用のガイド等を提示する。
【００６３】
印刷指示抽出モジュール１５０は、印刷指示記憶モジュール１１０、出力意図検知モジュール１１１５、認証モジュール１１２０、印刷モジュール１５５と接続されている。
印刷モジュール１５５は、認証装置１１００の印刷指示抽出モジュール１５０と接続されている。
制御モジュール１６０は、画像処理装置２００の機能を発揮させるために、画像処理装置２００内の各モジュールを制御する。
【００６４】
図１２は、第３の実施の形態による処理例（認証処理例）を示すフローチャートである。
ステップＳ１２０２では、ガイド提示モジュール１１２５は、ガイドを提示する。
ステップＳ１２０４では、認証情報受付モジュール（Ａ）１１０５、認証情報受付モジュール（Ｂ）１１１０のいずれか一方は、認証情報を受け付ける。
ステップＳ１２０６では、認証モジュール１１２０は、照合に成功したか否かを判断し、成功した場合はステップＳ１２０８へ進み、それ以外の場合はステップＳ１２０４へ戻る。
ステップＳ１２０８では、認証モジュール１１２０は、認証処理を行う。
ステップＳ１２１０では、出力意図検知モジュール１１１５は、いずれの認証情報受付モジュールであるかを判断し、認証情報受付モジュール（Ａ）１１０５の場合はステップＳ１２１２へ進み、認証情報受付モジュール（Ｂ）１１１０の場合は処理を終了する（ステップＳ１２９９）。
ステップＳ１２１２では、印刷指示抽出モジュール１５０は、そのユーザーの印刷指示を印刷指示記憶モジュール１１０から抽出する。
ステップＳ１２１４では、印刷モジュール１５５は、印刷を開始する。
【００６５】
図１３を参照して、本実施の形態の画像処理装置のハードウェア構成例について説明する。図１３に示す構成は、例えばパーソナルコンピュータ（ＰＣ）等によって構成されるものであり、スキャナー等のデータ読み取り部１３１７と、プリンター等のデータ出力部１３１８を備えたハードウェア構成例を示している。
【００６６】
ＣＰＵ（Ｃｅｎｔｒａｌ  Ｐｒｏｃｅｓｓｉｎｇ  Ｕｎｉｔ）１３０１は、前述の実施の形態において説明した各種のモジュール、すなわち、印刷指示受付モジュール１０５、出力意図検知モジュール１３０、認証モジュール１３５、照合モジュール１４０、印刷指示抽出モジュール１５０、制御モジュール１６０、出力意図検知モジュール９３０、出力意図検知モジュール１１１５、認証モジュール１１２０等の各モジュールの実行シーケンスを記述したコンピュータ・プログラムにしたがった処理を実行する制御部である。
【００６７】
ＲＯＭ（Ｒｅａｄ  Ｏｎｌｙ  Ｍｅｍｏｒｙ）１３０２は、ＣＰＵ１３０１が使用するプログラムや演算パラメータ等を格納する。ＲＡＭ（Ｒａｎｄｏｍ  Ａｃｃｅｓｓ  Ｍｅｍｏｒｙ）１３０３は、ＣＰＵ１３０１の実行において使用するプログラムや、その実行において適宜変化するパラメータ等を格納する。これらはＣＰＵバス等から構成されるホストバス１３０４により相互に接続されている。
【００６８】
ホストバス１３０４は、ブリッジ１３０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１３０６に接続されている。
【００６９】
キーボード１３０８、マウス等のポインティングデバイス１３０９は、操作者により操作されるデバイス（ユーザー操作受付モジュール１２５の一例）である。ディスプレイ１３１０は、液晶表示装置又はＣＲＴ（Ｃａｔｈｏｄｅ  Ｒａｙ  Ｔｕｂｅ）等があり、各種情報をテキストやイメージ情報として表示する（撮像ガイド提示モジュール１１５、ガイド提示モジュール１１２５の一例）。また、ポインティングデバイス１３０９とディスプレイ１３１０の両方の機能を備えているパネル（タッチスクリーン）等であってもよい。その場合、キーボードの機能の実現について、キーボード１３０８のように物理的に接続しなくても、画面（パネル）上にソフトウェアでキーボード（いわゆるソフトウェアキーボード、スクリーンキーボード等ともいわれる）を描画して、キーボードの機能を実現するようにしてもよい。
【００７０】
ＨＤＤ（Ｈａｒｄ  Ｄｉｓｋ  Ｄｒｉｖｅ）１３１１は、ハードディスク（フラッシュ・メモリ等であってもよい）を内蔵し、ハードディスクを駆動し、ＣＰＵ１３０１によって実行するプログラムや情報を記録又は再生させる。ハードディスクは、印刷指示記憶モジュール１１０、顔画像記憶モジュール１４５等としての機能を実現させる。さらに、その他の各種データ、各種コンピュータ・プログラム等が格納される。
【００７１】
ドライブ１３１２は、装着されている磁気ディスク、光ディスク、光磁気ディスク、又は半導体メモリ等のリムーバブル記録媒体１３１３に記録されているデータ又はプログラムを読み出して、そのデータ又はプログラムを、インタフェース１３０７、外部バス１３０６、ブリッジ１３０５、及びホストバス１３０４を介して接続されているＲＡＭ１３０３に供給する。なお、リムーバブル記録媒体１３１３も、データ記録領域として利用可能である。
【００７２】
接続ポート１３１４は、外部接続機器１３１５を接続するポートであり、ＵＳＢ、ＩＥＥＥ１３９４等の接続部を持つ。接続ポート１３１４は、インタフェース１３０７、及び外部バス１３０６、ブリッジ１３０５、ホストバス１３０４等を介してＣＰＵ１３０１等に接続されている。外部接続機器１３１５として、例えば、デジタルカメラ等の撮像モジュール１２０、赤外線センサ等の人感センサモジュール９２０、カードリーダー等の認証情報受付モジュール（Ａ）１１０５、認証情報受付モジュール（Ｂ）１１１０等がある。通信部１３１６は、通信回線に接続され、外部とのデータ通信処理を実行する。データ読み取り部１３１７は、例えばスキャナーであり、ドキュメントの読み取り処理を実行する。データ出力部１３１８は、例えばプリンターであり、ドキュメントデータの出力処理を実行する。
【００７３】
なお、図１３に示す画像処理装置のハードウェア構成は、１つの構成例を示すものであり、本実施の形態は、図１３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１３に示すシステムが複数互いに通信回線によって接続されていて互いに協調動作するようにしてもよい。また、特に、ファックス、プリンター、複合機などに組み込まれていてもよい。
【００７４】
前述の複数の実施の形態を組み合わせてもよい。例えば、複数の実施の形態で印刷の意図を検知した場合に、認証されたならば印刷を行うようにしてもよい。全ての実施の形態で印刷の意図を検知した場合（いわゆる論理積）に、認証されたならば印刷を行うようにしてもよい。いずれかの１つの実施の形態で印刷の意図を検知した場合（いわゆる論理和）に、認証されたならば印刷を行うようにしてもよい。
【００７５】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７６】
１００…認証装置
１０５…印刷指示受付モジュール
１１０…印刷指示記憶モジュール
１１５…撮像ガイド提示モジュール
１２０…撮像モジュール
１２５…ユーザー操作受付モジュール
１３０…出力意図検知モジュール
１３５…認証モジュール
１４０…照合モジュール
１４５…顔画像記憶モジュール
１５０…印刷指示抽出モジュール
１５５…印刷モジュール
１６０…制御モジュール
２００…画像処理装置
２１０…ユーザー端末
２２０…ユーザー
２９０…通信回線
９００…認証装置
９２０…人感センサモジュール
９３０…出力意図検知モジュール
９４０…認証情報受付モジュール
９４５…照合用情報記憶モジュール
１１００…認証装置
１１０５…認証情報受付モジュール（Ａ）
１１１０…認証情報受付モジュール（Ｂ）
１１１５…出力意図検知モジュール
１１２０…認証モジュール
１１２５…ガイド提示モジュール
【図１】
2019018528.tif 000003
【図２】
2019018528.tif 000004
【図３】
2019018528.tif 000005
【図４】
2019018528.tif 000006
【図５】
2019018528.tif 000007
【図６】
2019018528.tif 000008
【図７】
2019018528.tif 000009
【図８】
2019018528.tif 000010
【図９】
2019018528.tif 000011
【図１０】
2019018528.tif 000012
【図１１】
2019018528.tif 000013
【図１２】
2019018528.tif 000014
【図１３】
2019018528.tif 000015